(57)【要約】【課題】  磁力による眼部の経絡と血位を刺激すると共に、皮膚の生体細胞膜を通じて薬成分を吸収させることによって円滑な血液循環と新陳代謝を促進させることのできる眼マッサージ用パッド及びその製造方法を提供する。【解決手段】  本発明は眼を覆うカバー体の内側に備えられて磁力で眼周囲の血液を円滑に循環させるための眼マッサージ用パッドにおいて、カバー体１０の内側面に一側面が結合される無紡織の合成繊維材質の第１支持板と、第１支持板の他側面に一定厚さで薬剤が塗布されて形成された第１薬剤層と、第１薬剤層に眼周りの経絡及び血位と同じ位置に接着される磁性体と、磁性体の分離を防ぐように第１薬剤層に結合され、第１薬剤層に結合される一側面に薬剤が塗布されて第２薬剤層が形成された無紡織の合成繊維材質の第２支持板とから構成される。【選択図】 図５【特許請求の範囲】
【請求項１】
眼を覆うカバー体の内側に備えられて磁力で眼周りの血液を円滑に循環させるための眼マッサージ用パッドにおいて、
前記カバー体１０の内側面に一側面が結合される無紡織の合成繊維材質の第１支持板と、前記第１支持板の他側面に一定厚さで薬剤が塗布されて形成された第１薬剤層と、
前記第１薬剤層に前記眼周りの経絡及び血位と同じ位置に接着される磁性体と、
前記磁性体の分離を防止するように前記第１薬剤層に結合され、前記第１薬剤層に結合される一側面に前記薬剤が塗布されて第２薬剤層が形成された無紡織の合成繊維材質の第２支持板とから構成されることを特徴とする眼マッサージ用パッド。
【請求項２】
前記薬剤は乾燥された荊芥、決明子、びゃくし、地黄のうち一つ以上を混合して粉砕した生薬原料８０〜９０重量％と、蜜１０〜２０重量％が混合されて組成されることを特徴とする請求項１に記載の眼マッサージ用パッド。 
【請求項３】
眼を覆うカバー体の内側に備えられて磁力で眼周りの血液を円滑に循環させるための眼マッサージ用パッドにおいて、
前記カバー体１０の内側面に一側面が結合される無紡織の合成繊維材質の第１支持板と、
前記支持体の他側面に一定厚さで薬剤が塗布されて形成された第１薬剤層と、
前記第１薬剤層に前記眼周りの経絡及び血位と同じ位置に接着される磁性体と、
前記磁性体の分離を防止するように前記第１薬剤層に結合され、前記第１薬剤層に結合される一側面に前記薬剤が塗布されて第２薬剤層が形成されたプラスチック材の第２支持板で構成され、
前記第１支持板が結合される前記カバー体と前記第２支持板には空気の通風のために多数の空気孔が形成されることを特徴とする眼マッサージ用パッド。 
【請求項４】
眼を覆うカバー体の内側に備えられて磁力で眼周りの血液を円滑に循環させるための眼マッサージ用パッドの製造方法において、
荊芥、決明子、びゃくし、地黄のうち一つ以上を採取して乾燥させてから均一に混合した後、７０−９０メッシュの粒子に粉砕させる生薬原料粉砕段階と、
粉砕された前記生薬原料８０〜９０重量％と蜜１０〜２０重量％を常温で配合させた後均一に攪拌させてゲル状態に組成する薬剤組成段階と、
一定面積の無紡織の合成繊維材質の第１支持板２０に１．５ｍｍ〜３ｍｍ厚さで前記組成された薬剤を塗布して層を形成させる薬剤層形成段階と、
前記第１支持板に塗布された薬剤層上に眼周りの経絡及び血位と同じ位置に磁性体を接着させる磁性体接着段階と、
前記薬剤が塗布された無紡織の合成繊維材質の第２支持板を前記磁性体が接着された第１支持板に密着させて結合させる支持板結合段階とからなることを特徴とする眼マッサージ用パッドの製造方法。 
【発明の詳細な説明】
【技術分野】
【０００１】
本発明は眼マッサージ用パッド及びその製造方法に係り、さらに詳しくは磁力による眼部の経絡と血位を刺激すると共に、皮膚の生体細胞膜を通じて薬成分を吸収させることによって円滑な血液循環と新陳代謝を促進させることのできる眼マッサージ用パッド及びその製造方法に関する。 
【背景技術】
【０００２】
一般に、磁石から発生する磁力によって血液循環を円滑にして新陳代謝を促進させる磁気治療器具はその効能が認められて世界各国で色々の形態で多様に開発されて使用されてきている。
【０００３】
前記磁気治療器具の一例として、図１及び図２に示された特許文献１を見ると、顔の両眼とその周辺を覆うカバー本体１２’と、該カバー本体１２’の裏面に沿って装着された板材２０’と、該板材２０’のカバー本体１２’側とは反対側の表面に突設された突起３０’と、前記カバー本体１２’、板材２０’及び突起３０’に振動を与える振動付与手段と、前記カバー本体１２’を頭部に巻きつけた状態に固定する装着手段７０’とからなり、前記突起３０’または前記板材２０’が柔軟材から形成されて、該突起３０’の上部に磁石４０’が埋設され、該磁石４０’の上端が樹脂層５０’により覆われて、該樹脂層５０’を介して磁石４０’がつぼに当たるように構成されている。
【０００４】
前記磁力治療器具は、使用者が前記器具を着用すれば、前記突起に埋込まれた磁石による磁力で両眼周辺の血行を良くしたり、緊張した神経や筋肉を和らげたりして、眼の疲れを取ったり、視力が低下するのを防いだりする。
【０００５】
また、図３のように、特許文献２をみると、多種の金属、ゴム、プラスチックなどの永久磁石２’を接着縫着などの方法で衣類１’の肩、腹などの必要部位に結合させて、永久磁石２’の磁力によって身体の血液を一層円滑に循環されるようにしている。
【０００６】
このような従来の磁気治療器具は身体の外部に磁石を近接させて磁石による血液の円滑な循環で健康を図っているが、これは単純に磁石を近接させることにすぎず、さらに眼の経絡及び血位の位置を問わず無作為に磁石が備えられることによって、安定的かつ円滑な血液循環を達成し難く、短時間内に眼の疲れを解消させるには足りなかった。
【先行技術文献】
【特許文献】
【０００７】
【特許文献１】特開２００１−２７６１１３号公報
【特許文献２】特開２００３−３１４００１号公報
【発明の概要】
【発明が解決しようとする課題】
【０００８】
本発明は前述した従来の技術の問題点を解決するために案出されたもので、その目的は磁力による眼部の経絡及び血位を刺激すると共に、磁力を用いて皮膚の生体細胞膜を通じて薬剤成分を吸収させることによって、円滑な血液循環と新陳代謝を促進させることができ、特に２０００〜６０００ガウスの磁力が発生する磁性体を具備させて着用する際、安定的かつ円滑な血液循環を達成させることによって短時間内に眼の疲労を回復させ、長期的な使用で眼の神経機能をアップすると共に、近視、遠視、老眼などによる眼の疲れを減少させる眼マッサージ用パッド及びその製造方法を提供するところにある。 
【０００９】
本発明の他の目的は、オフィスで使用するコンピュータのモニターなど映像表示装置から発生する紫外線や電磁波による眼の疲れと読書や運転による眼の疲れを取ることができ、発生率が延びつつあるＶＤＴ症候群を最大限予防できる眼マッサージ用パッド及びその製造方法を提供するところにある。 
【課題を解決するための手段】
【００１０】
前述した眼的を達成するための本発明の眼マッサージ用パッドは、眼を覆うカバー体１０の内側に備えられて磁力で眼周りの血液を円滑に循環させるための眼マッサージ用パッドにおいて、前記カバー体１０の内側面に一側面が結合される無紡織の合成繊維材質の第１支持板２０と、該第１支持板２０の他側面に一定厚さで薬剤が塗布されて形成された第１薬剤層２５と、該第１薬剤層２５に前記眼周りの経絡及び血位と同じ位置に接着される磁性体３０と、該磁性体３０の分離を防止するように前記第１薬剤層２５に結合され、該第１薬剤層２５に結合される一側面に前記薬剤が塗布されて第２薬剤層３５が形成された無紡織の合成繊維材質の第２支持板４０とから構成されることを特徴とする。
【００１１】
ここで、前記薬剤は乾燥された荊芥、決明子、びゃくし、地黄のうち一つ以上を混合して粉砕した生薬原料８０〜９０重量％と、蜜１０〜２０重量％が混合されて組成されることが望ましい。 
【図面の簡単な説明】
【００１２】
【図１】従来の磁気治療器具を示した状態図である。
【図２】従来の磁気治療器具の主な特徴部の断面図である。
【図３】従来の他の磁気治療器具を示した状態図である。
【図４】眼部の経絡及び血位地点を示す写真である。
【図５】本発明に係る眼マッサージ用パッドが取り付けられたカバー体を示した状態図である。
【図６】本発明に係るカバー体に取り付けられる眼マッサージ用パッドの分離状態図である。
【図７】本発明に係る眼マッサージ用パッドの断面状態図である。
【図８】本発明に係る磁性体が取り付けられた状態の第１支持板を示した平面図である。
【図９】本発明に係るカバー体に結合される眼マッサージ用パッドの他の実施形態を示した状態図である。
【図１０】本発明に係る眼マッサージ用パッドの製造過程を示した工程図である。
【発明を実施するための形態】
【００１３】
以下に添付図面を参照しながら、本発明の好適な実施の形態について詳細に説明する。
【００１４】
図５は本発明に係る眼マッサージ用パッドが取り付けられたカバー体を示した状態図であり、図６は本発明に係るカバー体に取り付けられる眼マッサージ用パッドの分離状態図であり、図７は本発明に係る眼マッサージ用パッドの断面状態図であり、図８は本発明に係る磁性体が取り付けられた状態の第１支持板を示した平面図である。
【００１５】
前記図５ないし図８に示されているように、本発明に係る眼マッサージ用パッドは眼を覆うカバー体１０の内側に備えられて磁力で眼周りの血液を円滑に循環させるためのものであって、前記カバー体１０の内側面に一側面が結合される無紡織の合成繊維材の第１支持板２０と、該第１支持板２０の他側面に一定厚さで薬剤が塗布されて形成された第１薬剤層２５と、該第１薬剤層２５に前記眼周りの経絡及び血位と同じ位置に接着される磁性体３０と、該磁性体３０が取り付けられた第１薬剤層２５に結合される第２支持板４０とから構成される。
【００１６】
本発明のパッドは、血管内を流れる血液中に存在するイオンの流れを電流と見なして血管に磁気場を形成させると、フレーミングの法則によって血管に力が作用するようになり、逆に血管に磁気場を遮断させると血管内に電流が流れるようになることから血液の流れが影響を受けるようになる。従って、磁性体の存在によって血液、神経、細胞が影響を受けるという根拠によるもので、前記磁性体の存否によって血液が影響を受けるという原理は既に全世界的に知られている技術であり、本発明では前記パッドの構成について説明する。
【００１７】
前記カバー体１０は使用者の頭部に結ぶように眼帯状に形成したり、サンガラスまたはめがねのような形状に形成して、その内側に本発明の眼マッサージ用パッドを装着させることができる。
【００１８】
前記第２支持板４０は前記磁性体３０の分離を防止するように具備されるもので、前記第１支持板２０と同じく無紡織の合成繊維材質で形成され、前記第１薬剤層２５に結合される一側面に前記薬剤が塗布されて第２薬剤層３５が形成された前記磁性体３０を挟んで、前記第１薬剤層２５と第２薬剤層３５が備えられる。
【００１９】
前記磁性体３０は眼部の経絡と血位を刺激して眼周りに流れる血液を円滑に循環するように誘導すると共に、前記第１薬剤層２５及び第２薬剤層３５に存在する薬剤の栄養成分をイオン化して皮膚の生体細胞膜を通じて体内に吸収させるもので、図４に示したように眼部に位置する八つの経絡及び血位地点に同じく８つの磁性体３０が具備される。
【００２０】
この際、前記磁性体３０は２０００〜６０００ガウスの磁力を有するようにし、青少年の場合は２０００〜３０００ガウスを有する磁性体３０を使用するようにし、成人の場合は３０００〜６０００ガウスを有する磁性体３０を使用するようにして、眼周りの血液を円滑に循環させるようにする。
【００２１】
一方、前記薬剤は乾燥された荊芥、決明子、びゃくし、地黄のうち一つ以上を混合して粉砕した生薬原料８０〜９０重量％と、蜜１０〜２０重量％を常温で混合させてゲル状態に組成したもので、前記蜜による接着力で粉化しないようにすると共に、前記第１支持板２０及び第２支持板４０から離れないようにする。
【００２２】
前記荊芥は発汗散風、透疹、風邪、頭痛、麻疹、風疹などの治療機能があり、決明子は風熱などの治療機能があり、びゃくしはふくれ及び膿を無くし、風邪、頭痛、眉稜骨痛、鼻づまり、蓄膿症、歯痛、おできなどの治療機能があると知られており、これら生薬原料を配合して薬剤を組成して使用することによって、活血に作用し、皮下出血を軽減し、毛様体筋の正常的な収縮と眼筋を弛緩させる。
【００２３】
ここで、本発明の前記第１支持板２０と第２支持板４０は無紡織の合成樹脂材であって、紡織布に比べて弾力性が大きく収縮率が低く、耐摩耗性に優れるのみならず柔軟であり、通風及び保湿性に優れ、特に薬剤のコーティングの際薬剤が固まらない状態に薬剤成分をそのまま保有するようになる。
【００２４】
そして、本発明のカバー体１０に取り付けられる眼マッサージ用パッドの他の実施形態として、図９のように、前記カバー体１０の内側面に一側面が結合される無紡織の合成繊維材質の第１支持板２０と、該第１支持板２０の他側面に一定厚さで薬剤が塗布されて形成された第１薬剤層２５と、該第１薬剤層２５に前記眼周りの経絡及び血位と同じ位置に接着される磁性体３０と、該磁性体３０の分離を防止するように前記第１薬剤層２５に結合され、該第１薬剤層２５に結合される一側面に前記薬剤が塗布されて第２薬剤層３５が形成されたプラスチック材の第２支持板４５とから構成される。
【００２５】
この際、前記第１支持板２０が取り付けられる前記カバー体１０と前記第２支持板４５には空気の通風のために多数の空気孔４７が形成されるのが望ましい。すなわち、前記カバー体１０と第２支持板４５がプラスチック材で形成された場合は薬効の伝達を手助けるために空気の通風が行われるべきであるが、このために前記空気孔４７が形成され、前記第２支持板４５が前記カバー体１０に嵌着するように前記カバー体１０には前記第２支持体４５の面積と同じ面積で嵌合溝１２を形成させる。
【００２６】
一方、本発明のカバー体１０には使用時間を使用者が認知可能にするアラム機能を有するタイマーが備えられて一定時間眼部をマッサージするようにする。この際マッサージ時間は１５〜３０分であれば適当である。
【００２７】
このような本発明の作用を見ると、カバー体１０を使用者の頭部に結んだり、耳にかけたまま前記マッサージ用パッドを眼部に密着させると、眼部の経絡と血位地点に磁性体３０が位置するようになって、前記磁性体３０による刺激によって血液を円滑に誘導させ、磁性体３０が付着された薬剤層の薬剤成分が前記磁性体３０によってイオン化した状態で皮膚の生体細胞膜を通じて体内に吸収される。
【００２８】
従って、磁性体３０による刺激効果と共に、薬剤成分の吸収で血液の循環が円滑になり、新陳代謝を促進させることができる。
【００２９】
図１０は本発明に係る眼マッサージ用パッドの製造過程を示した工程図であって、本発明に係る眼マッサージ用パッドの製造方法を説明すれば、生薬原料を粉砕させる生薬原料粉砕段階（Ｓ１０）と、 粉砕された生薬に蜜を混合して薬剤として組成する薬剤組成段階（Ｓ２０）と、無紡織の合成繊維に薬剤を塗布して層を形成する薬剤層形成段階（Ｓ３０）と、薬剤層に磁性体３０を接着させる磁性体接着段階（Ｓ４０）と、磁性体３０が接着された状態で再び薬剤が塗布された無紡織の合成繊維に密着させる支持板結合段階（Ｓ５０）とからなる。
【００３０】
前記生約原料粉砕段階（Ｓ１０）は、荊芥の幹、決明子の種、びゃくしの根、地黄の根及び幹を採取して陽乾で乾燥した後均一に混合して７０〜９０メッシュ粒子に粉砕させ、前記薬剤組成段階（Ｓ２０）では粉砕された前記生薬原料８０〜９０重量％と蜜１０〜２０重量％を常温で配合した後均一に攪拌させてゲル状態に組成する。
【００３１】
その後、一定面積の無紡織の合成繊維材質の第１支持板２０に１．５ｍｍ−３ｍｍ厚さで前記組成された薬剤を塗布して層を形成させ、前記薬剤の塗布厚さは生薬成分の薬効を持続的に維持させると共に割れないように、薄すぎず、厚すぎず、２ｍｍほどで塗布する。
【００３２】
前記薬剤の塗布後には前記第１支持板２０に塗布された薬剤層上に眼周りの経絡及び血位と同じ位置、すなわち８つの地点に磁性体３０を接着させてから前記薬剤が塗布された無紡織の合成繊維材質の第２支持板４０を別に備えて、前記磁性体３０が接着された第１支持板２０に密着結合して仕上げるとよい。
【産業上の利用可能性】
【００３３】
以上説明したように本発明によれば、磁力による眼部の経絡と血位を刺激すると共に、皮膚の生体細胞膜を通じて薬剤成分を吸収させることによって、円滑な血液循環と新陳代謝を促進することができる。特に２０００〜６０００ガウスの磁力が発生する磁性体を備えて着用する際安定的かつ円滑な血液循環を達成させる。これによって、短時間内に眼の疲れを回復させ、長期的な使用によって眼の神経機能をアップすると共に、近視、遠視、老眼などによる眼の疲労を軽減させる。
【図１】
2010529881.tif 000002
【図２】
2010529881.tif 000003
【図３】
2010529881.tif 000004
【図４】
2010529881.tif 000005
【図５】
2010529881.tif 000006
【図６】
2010529881.tif 000007
【図７】
2010529881.tif 000008
【図８】
2010529881.tif 000009
【図９】
2010529881.tif 000010
【図１０】
2010529881.tif 000011
【国際調査報告】
2010529881.tif 000012
2010529881.tif 000013